(57)【要約】【課題】本発明が解決しようとする課題は、足場板間の幅方向隙間をカバーして作業者の安全を確保する足場隙間埋めカバーを提供することである。【解決手段】本発明による足場隙間埋めカバーは、足場板の幅方向の足場板間の隙間を覆うカバーであって、足場板の幅（２５０ｍｍ又は５００ｍｍ）以下の幅に対応する踏み板部を有する。【選択図】図１
2009249861.tif 000002
【特許請求の範囲】
【請求項１】
足場板と略同じ長さの単管と、前記単管の両端に付設した他の単管に掛けるためのフックと、足場板の幅以下の幅であり前記単管に固定された踏み板部とを有することを特徴とする足場隙間埋めカバー。
【請求項２】
第一の単管と第一の単管の一端に付設した他の単管Ａに掛けるための第一のフックと、第一の単管の内径より小さい外径を有することで、第一の単管の内側に内挿してスライドできる第二の単管と、第二の単管の一端に付設した他の単管Ｂに掛けるための第二のフックと、第一の単管に固定された第一の踏み板部と、第二の単管に固定された第二の踏み板部とを有し、第一の踏み板部と第二の踏み板部は、第一の単管と第二の単管間の前記スライドにおいて干渉しないように配置されたことを特徴とする足場隙間埋めカバー。
【請求項３】
踏み板部Ａと踏み板部Ｂと、踏み板部Ａに下向きに付いたオスネジと、踏み板部Ｂの面で、前記オスネジに対応する位置で、且つ前記オスネジを通すための適当な間隔で開いた複数のネジ穴と前記オスネジに締めこむメスネジとを有することを特徴とする
足場隙間埋めカバー。
【請求項４】
踏み板部Ａと踏み板部Ｂと、踏み板部Ａと踏み板部Ｂの幅方向の間に伸縮自在の網部とを有することを特徴とする足場隙間埋めカバー。
【発明の詳細な説明】
【技術分野】
【０００１】
本発明は、工事現場の足場の隙間を埋めるカバーに関するものである。
【背景技術】
【０００２】
工事現場などでは、足場が組まれ高所作業を行う。図５は、足場の例を示す図である。足場は幅２５０ｍｍ、又は５００ｍｍ、長さ１８００ｍｍの足場板を複数合わせて組まれる。足場を組むと足場の間にできる隙間は長手方向に継ぎ足し部にできる長手方向隙間５０１と、幅方向の隙間にできる幅方向隙間５０２の両者がある。隙間は、足を落としたり、躓いたり、バランスを崩したりと安全上での問題を起こしやすい。前者への対策は、特許文献１、特許文献２に見ることができる。図６は、特許文献１に見る長手方向隙間用の足場隙間埋めカバーを示す図である。６−Ａは、足場板の２枚の結合部を上から見た状態を示す。結合部に隙間がある。６−Ｂは、この隙間の上にかぶせる足場隙間埋めカバーの断面を示している。後者の幅方向隙間５０２は、幅方向に２５０ｍｍ、又は５００ｍｍに満たない幅の隙間ができる場合に足場板が使えないことで、できることがあり、足場板間に隙間として残されていて大変危険であるが、このための対策は提案されていない。
【特許文献１】特開２００１−２８８８８４
【特許文献２】特許第３８９９２３０号
【発明の開示】
【発明が解決しようとする課題】
【０００３】
上記のような事情から、解決しようとする課題は、足場板間の幅方向隙間をカバーして作業者の安全を確保する足場隙間埋めカバーを提供することである。
【課題を解決するための手段】
【０００４】
上記の課題を解決するための手段として、本発明による足場隙間埋めカバーは、足場板の幅方向の足場板間の隙間を覆う平板であって、足場板の幅（２５０ｍｍ又は５００ｍｍ）以下の幅に対応する踏み板部を有する。以下、請求項に沿って説明する。
【０００５】
請求項１記載の発明は、足場隙間埋めカバーであって、足場板と略同じ長さの単管と、前記単管の両端に付設した他の単管に掛けるためのフックと、足場板の幅以下の幅であり前記単管に固定された踏み板部とを有することを特徴とする。これにより、足場板間の幅方向隙間をカバーして安全を確保できる。又、持ち運びが容易である。
【０００６】
請求項２記載の発明は、足場隙間埋めカバーであって、第一の単管と第一の単管の一端に付設した他の単管Ａに掛けるための第一のフックと、第一の単管の内径より小さい外径を有することで、第一の単管の内側に内挿してスライドできる第二の単管と、第二の単管の一端に付設した他の単管Ｂに掛けるための第二のフックと、第一の単管に固定された第一の踏み板部と、第二の単管に固定された第二の踏み板部とを有し、第一の踏み板部と第二の踏み板部は、第一の単管と第二の単管間の前記スライドにおいて干渉しないように配置されたことを特徴とする。これにより、伸縮機能により持ち運びが容易となる。
【０００７】
請求項３記載の発明は、足場隙間埋めカバーであって、踏み板部Ａと踏み板部Ｂと、踏み板部Ａに下向きに付いたオスネジと、踏み板部Ｂの面で、前記オスネジに対応する位置で、且つ前記オスネジを通すための適当な間隔で開いた複数のネジ穴と前記オスネジに締めこむメスネジとを有することを特徴とする。これにより、カバーの幅を調節でき、持ち運びも容易になる。
【０００８】
請求項４記載の発明は、足場隙間埋めカバーであって、踏み板部Ａと踏み板部Ｂと、踏み板部Ａと踏み板部Ｂの幅方向の間に伸縮自在の網部とを有することを特徴とする。これにより幅を調整できる。
【発明の効果】
【０００９】
以上のように構成されているので、本発明による足場隙間埋めカバーは、足場板の幅方向の隙間をカバーして作業者の安全を確保できる。
【発明を実施するための最良の形態】
【００１０】
本発明による足場隙間埋めカバーは、足場板の幅以下の幅を有する踏み板部を有するか、又は２枚の板の重ね合わせを調整することで幅を調整可能な踏み板部を有するか、又は、２枚の板を繋ぐ網部が伸縮することで幅を調整可能とする踏み板部を有することを特徴とする。以下、実施例を用い本発明の提案を説明する。
【００１１】
図１は、本発明による足場隙間埋めカバーの一実施態様を示す図である。長さが足場板と同じ長手方向に伸びる単管１０１の上に足場板の幅以下の幅を有する踏み板部１０２が結合部１０３により結合している。単管１０１の両端には、フック１０４があり、これにより単管に付設することができる。
【００１２】
図２は、本発明による足場隙間埋めカバーの別の一実施態様を示す図である。図１との違いは、単管２０１Ａと２０１Ｂ、踏み板部２０２Ａ、２０２Ｂ、結合部２０３Ａ、２０３Ｂが各々あって、単管２０１Ｂを単管２０１Ａの内側に挿入でき、スライドできるようになっている。又、結合部２０３Ａと２０３Ｂ、及び、踏み板部２０２Ａと２０２Ｂとも互いが干渉せず、単管のスライドができるようになっている。縮小した状態では短くなるので持ち運びが容易になる。
【００１３】
図３は、本発明による足場隙間埋めカバーの別の一実施態様を示す図である。２枚の踏み板部３０１Ａ、３０１Ｂがあり、踏み板部３０１Ａには下向きにオスネジ３０２が付いていて、踏み板部３０１Ｂの対応する位置にネジを通すネジ穴３０３が適当な間隔で開いている。適当な間隔のネジ穴３０３にオスネジ３０２を通し、メスネジ３０４で締めると踏み板部の幅を変えることができる。この板を足場板の隙間の上に載せて使用することができる。又、図には示さないが、この踏み板部の一方に図１のように単管をつける事もできる。
【００１４】
図４は、本発明による足場隙間埋めカバーの別の一実施態様を示す図である。２枚の踏み板部４０１Ａ、４０１Ｂの間には、網部４０２を有している。網部４０２は網の結合部が曲がることで伸縮することができ、２枚の踏み板部４０１Ａ、４０１Ｂの間隔を変えることができ、足場隙間埋めカバーの幅を変えることができる。
【産業上の利用可能性】
【００１５】
以上の様に、本発明による足場隙間埋めカバーは、足場間の幅方向の隙間を埋めることができ作業者の安全を図ることができるので、産業上大きな利用性を有している。
【図面の簡単な説明】
【００１６】
【図１】本発明による足場隙間埋めカバーの一実施態様を示す図である。
【図２】本発明による足場隙間埋めカバーの別の一実施態様を示す図である。
【図３】本発明による足場隙間埋めカバーの別の一実施態様を示す図である。
【図４】本発明による足場隙間埋めカバーの別の一実施態様を示す図である。
【図５】足場の例を示す図である。
【図６】特許文献１に見る長手方向隙間用の足場隙間埋めカバーを示す図である。
【符号の説明】
【００１７】
１０１、２０１Ａ、２０１Ｂ、３０１Ａ、３０１Ｂ、４０１Ａ、４０１Ｂ  単管
１０２、２０２Ａ、２０２Ｂ  踏み板部
１０３、２０３Ａ、２０３Ｂ  結合部
１０４  フック
３０２  オスネジ
３０３  ネジ穴
３０４  メスネジ
４０２  網部
５０１  長手方向隙間
５０２  幅方向隙間
【図１】
2009249861.tif 000003
【図２】
2009249861.tif 000004
【図３】
2009249861.tif 000005
【図４】
2009249861.tif 000006
【図５】
2009249861.tif 000007
【図６】
2009249861.tif 000008